(57)【特許請求の範囲】
【請求項１】
中央板の両側に設けられた側板が中央板の下側に向けて折り畳み可能となるように連結部によって連結され、ベッド両側面における側柵間に架け渡し係止して、ベッドの床部上方を跨ぐように配置するようにしたベッド装置に用いる折り畳みテーブルにおいて、
前記側板は、前記側板の下面と、前記中央板との下面とが接するように折り畳まれ、
前記連結部は、前記側板が折り畳まれる場合に、回動する中心が中央板の中心より下面寄りとなるように設けられ、
前記側板の端部には、ベッド両側面に設けられた側柵に係止支持するための係止溝が形成されており、
前記係止溝は、
長手方向に沿って側板下面を上方向に凹ませることにより長く凹状に形成され、
係止溝の側部は、内側及び外側の側部が、側板の下面より下方に突出形成されるように凸部を有している、
ことを特徴とするベッド装置に用いる折り畳みテーブル。
【請求項２】
前記係止溝の長手方向の長さは、ベッド装置の複数の幅に対応するために側柵と比較して長く形成されていることを特徴とする請求項１に記載の折り畳みテーブル。
【請求項３】
前記係止溝は、前記側柵と当接する係止溝の天部に滑り止め部材を有していることを特徴とする請求項１又は２に記載のベッド装置に用いる折り畳みテーブル。
【請求項４】
前記係止溝は、ベッド装置の側柵間が長いベッド装置に利用される場合には、前記係止溝を構成する側部の外側に側柵がそれぞれ当接し、ベッド装置の側柵間が短いベッド装置に利用される場合には、前記係止溝を構成する側部の内側に側柵がそれぞれ当接することにより、前記折り畳みテーブルを係止することを特徴とする請求項１から３の何れか一項に記載のベッド装置に用いる折り畳みテーブル。
【請求項５】
前記中央板下面には切り欠け部が形成されており、
前記側板は、折り畳み時に側板の下面より突出形成される凸部が、前記切り欠け部に嵌まることにより、略１８０度に回動可能となることを特徴とする請求項１から４の何れか一項に記載のベッド装置に用いる折り畳みテーブル。
【請求項６】
前記側板は、折り畳みテーブルの長手方向の長さが、前記中央板の長手方向の長さの略半分の長さとなることを特徴とする請求項１から５の何れか一項に記載のベッド装置に用いる折り畳みテーブル。
【請求項７】
ベッド本体と、当該ベッド本体の両側の側部に長手方向に沿って設けられる側柵を備えたベッド装置であって、
前記側柵間に架け渡し係止して、ベッドの床部上方を跨ぐように配置する請求項１から６の何れか一項のベッド装置に用いる折り畳みテーブルを備えることを特徴とするベッド装置。
【発明の詳細な説明】
【技術分野】
【０００１】
本発明は、折り畳みテーブル等に関する。
【背景技術】
【０００２】
従来から、ベッドにおいて利用される食事台（オーバーテーブル）等は、患者が食事や読書や作業をするときの載置台として重用されている。これらのテーブルは、ベッドのサイドフレームに設けられる側柵に架け渡してセットされ、使用されることが一般的である（例えば、特許文献１参照）。
【０００３】
ところが、ベッドの規格、種類によってベッドの大きさ（側柵の間隔）は異なっており、そのため従来はそれぞれのサイズに対応するテーブルを複数用意する必要があった。この手間を軽減するために、例えば、テーブル板の長さを調整する機構を設けることにより、異なる側柵間のベッドであっても、対応可能な技術が知られている（例えば、特許文献２参照）。
【先行技術文献】
【特許文献】
【０００４】
【特許文献１】特開２００２−１７４５８号公報
【特許文献２】実開平４−２７８３４号公報
【発明の概要】
【発明が解決しようとする課題】
【０００５】
しかしながら、上述した特許文献２に記載されているようなオーバーテーブルの場合、テーブルの長さを調整するための部分については、調整機構として用いられるため、テーブルとしての載置スペースに制約が出来てしまう。
【０００６】
すなわち、オーバーテーブル全体を載置スペースとして利用出来ないために、利用者にとって載置できるものが少なくなるだけでなく、例えばオーバーテーブルを清掃する場合等についても、極めて不便であった。
【０００７】
利用者としては、特許文献１のように全面が載置スペースとして確保出来るオーバーテーブルが理想であるが、この場合、ベッド装置に併せてオーバーテーブルをそれぞれ用意しなければならなかった。
【０００８】
また、オーバーテーブルが未使用時に収納される場合、従来のオーバーテーブルの場合、最低でもベッド装置の側柵間の長さは必要となってしまうことから、収納性に優れているとは言えなかった。
【０００９】
上述した課題に鑑み、本発明が目的とするところは、ベッド装置にセットされるテーブルにおいて、複数の規格のベッドに対応し、載置スペースが大きく利便性の高い折り畳みテーブル等を提供することである。
【課題を解決するための手段】
【００１０】
上述した課題に鑑み、本発明のベッド装置に用いる折り畳みテーブルは、
中央板の両側に設けられた側板が中央板の下側に向けて折り畳み可能となるように連結部によって連結され、ベッド両側面における側柵間に架け渡し係止して、ベッドの床部上方を跨ぐように配置するようにしたベッド装置に用いる折り畳みテーブルにおいて、
前記側板は、前記側板の下面と、前記中央板との下面とが接するように折り畳まれ、
前記連結部は、前記側板が折り畳まれる場合に、回動する中心が中央板の中心より下面寄りとなるように設けられ、
前記側板の端部には、ベッド両側面に設けられた側柵に係止支持するための係止溝が形成されており、
前記係止溝は、
長手方向に沿って側板下面を上方向に凹ませることにより長く凹状に形成され、
係止溝の側部は、内側及び外側の側部が、側板の下面より下方に突出形成されるように凸部を有している、
ことを特徴とする。
【００１１】
また、本発明のベッド装置に用いる折り畳みテーブルにおいて、
前記係止溝の長手方向の長さは、ベッド装置の複数の幅に対応するために側柵と比較して長く形成されていることを特徴とする。
【００１２】
また、本発明のベッド装置に用いる折り畳みテーブルにおいて、
前記係止溝は、前記側柵と当接する係止溝の天部に滑り止め部材を有していることを特徴とする。
【００１３】
また、本発明のベッド装置に用いる折り畳みテーブルにおいて、
前記係止溝は、ベッド装置の側柵間が長いベッド装置に利用される場合には、前記係止溝を構成する側部の外側に側柵がそれぞれ当接し、ベッド装置の側柵間が短いベッド装置に利用される場合には、前記係止溝を構成する側部の内側に側柵がそれぞれ当接することにより、前記折り畳みテーブルを係止することを特徴とする。
【００１４】
また、本発明のベッド装置に用いる折り畳みテーブルにおいて、
前記中央板下面には切り欠け部が形成されており、
前記側板は、折り畳み時に側板の下面より突出形成される凸部が、前記切り欠け部に嵌まることにより、略１８０度に回動可能となることを特徴とする。
また、本発明のベッド装置に用いる折り畳みテーブルにおいて、
前記側板は、折り畳みテーブルの長手方向の長さが、前記中央板の長手方向の長さの略半分の長さとなることを特徴とする。
【００１５】
本発明のベッド装置は、
ベッド本体と、当該ベッド本体の両側の側部に長手方向に沿って設けられる側柵を備えたベッド装置であって、
前記側柵間に架け渡し係止して、ベッドの床部上方を跨ぐように配置する上述の折り畳みテーブルを備えることを特徴とする。
【発明の効果】
【００１６】
本発明によれば、中央板の両側に設けられた側板が中央板の下側に向けて折り畳み可能となるように連結部によって連結され、ベッド両側面における側柵間に架け渡し係止して、ベッドの床部上方を跨ぐように配置するようにした折り畳みテーブルにおいて、側板の端部には、ベッド両側面に設けられた側柵に係止支持するための係止溝が形成されており、係止溝は、長手方向に沿って長く凹状に形成されている。したがって、側柵間の長さが異なる場合であっても、係止溝が長く凹状に形成されていることから、側柵を係止溝に収めることが可能となり、さらに、折り畳み可能で利便性の高い折り畳みテーブル等を提供することができる。
【図面の簡単な説明】
【００１７】
【図１】本実施形態の折り畳みテーブル（使用時）の上面図である。
【図２】本実施形態の折り畳みテーブル（使用時）の正面図である。
【図３】本実施形態の折り畳みテーブル（使用時）の斜視図である。
【図４】本実施形態の折り畳みテーブルの分解図である。
【図５】本実施形態の折り畳みテーブルの係止溝を説明するための図である。
【図６】本実施形態の折り畳みテーブルの動作を説明するための斜視図である。
【図７】本実施形態の折り畳みテーブルの動作を説明するための正面図である。
【図８】本実施形態の折り畳みテーブル（収納時）の上面図である。
【図９】本実施形態の折り畳みテーブル（収納時）の正面図である。
【図１０】本実施形態の折り畳みテーブルの切り欠け部を説明するための図である。
【図１１】本実施形態の折り畳みテーブルの実施例を説明するための図である。
【図１２】本実施形態の折り畳みテーブルの実施例（第１実施例）を説明するための図である。
【図１３】本実施形態の折り畳みテーブルの実施例（第２実施例）を説明するための図である。
【図１４】本実施形態の折り畳みテーブルの実施例（第３実施例）を説明するための図である。
【発明を実施するための形態】
【００１８】
以下、図面を参照して本発明を実施するための最良の形態について説明する。なお、本実施形態に記載された内容は、本発明を適用した一例に過ぎず、本発明を限定するものではない。
【００１９】
［１．折り畳みテーブルの構造］
まず、折り畳みテーブルの構造について説明する。図１に、本発明を適用した折り畳みテーブル１の上面図、図２に折り畳みテーブル１の正面図、図３に折り畳みテーブル１の斜視図、図４に折り畳みテーブル１の分解図を示す。
【００２０】
ここで、本実施形態では、図１の上面図において、図右側を右方向、図左側を左方向として以下説明する。また、図１の折り畳みテーブル１全体の横方向を長手方向、縦方向を幅方向とする。
【００２１】
［１．１  全体構造］
図に示すように、折り畳みテーブル１は、中央板３と、両側に連結されている側板５及び側板７とが連結することによりテーブルとして機能する。すなわち、右部分（側板５）と、中央部分（中央板３）と、左部分（側板７）との３枚の板状の部材が連結部１０により連結されていることにより構成されている。
【００２２】
ここで、折り畳みテーブル１の幅方向については、中央板３、側板５及び７は、同一の長さで構成されている。これにより、折り畳みテーブル１は、全面を載置スペースとして制限無く利用することができる。
【００２３】
また、図１折り畳みテーブル１の長手方向を見た場合に、側板の長さは中央板の長さの半分以下の長さとなる。すなわち、図２に示すように、側板５及び７は連結部１０を中心に下方向（矢印Ｒ方向）に略１８０度回動し、中央板３の底面に折り畳むように収納可能である。このとき、中央板３と、側板５及び７とは重なる状態となるため、側板の長手方向の長さは、中央板の長手方向の長さの半分以下の長さとなる。
【００２４】
ここで、中央板３、側板５及び側板７は、一例として樹脂（強化プラスチック）にて構成されている。なお、テーブルとして機能する部材であればよく、例えば木材であったり、アルミニウムやステンレスといった金属部材であったり、いずれのものであってもよい。また、折り畳みテーブル１の表面（特に上面）を緩衝材等で被覆するといった構成であっても良い。
【００２５】
また、連結部１０は、中央板３と側板５又は側板７とを回動可能に連結できる部材（例えば、ヒンジ部材等）であればよい。このとき、連結部１０により、側板５又は側板７が回動する中心が中央板３の中心より下面寄りとなるように連結部１０は設けられる。これにより、使用されるときには、中央板３と側板５及び側板７とが水平連結することとなり、テーブルとして機能することとなる。
【００２６】
また、連結部１０には、ロック機能等を備えてもよい。すなわち、使用状態の場合や、収納状態（側板が使用状態から略１８０度回動した状態）のときに、板の位置がロックされることにより、折り畳みテーブルを持ち運ぶときや、セットするときに安全性を確保することができる。
【００２７】
また、側板５（側板７）の上面には、凹部２０が形成されている。凹部２０は、物置として使用することができ、例えば小物であったり、コップ等の食器や、飲料が入っている容器であったりを載置することができる。凹部２０は、側板５（側板７）の外側端部付近に形成されている。ここで、本実施形態において凹部２０が側板両側に形成されているのは、折り畳みテーブル１を、ベッド装置に設置する場合に利用者が方向を気にすることなく設置できるといった利点や、側板５と側板７とを同一の部品を用いて構成可能となるといった利点がある。
【００２８】
また、側板５及び側板７の下面には、折り畳みテーブル１をベッド装置に係止させるための係止溝５０が設けられている。折り畳みテーブル１を、ベッド装置の側柵に架け渡すときに、側柵が係止溝５０に収まるように設置することにより係止され、保持可能となる。
【００２９】
［１．２  係止溝の構造］
ここで、係止溝５０について、図５を用いて詳細に説明する。図５は、側板５を拡大した正面図である。係止溝５０は、側板５の端部の下面を上方向に凹ませて、凹状に形成し、更に折り畳みテーブル１の長手方向に沿って長く形成されている。
【００３０】
ここで、係止溝５０は、側部５４（５４ａ、５４ｂ）と、天部５６とから形成されており、更に側部５４は、側板の下面より下方に突出形成されるように凸部５２（５２ａ、５２ｂ）を有している。
【００３１】
凸部５２は、側柵をより安定して係止するために、側板５の下面より凸状となるように突出形成されている。例えば、側板５の中心の高さ（厚さ）をｓとする場合、凸部５２の部分の高さｔはｓより大きくなる。これは、係止溝５０の深さが浅いと、側板５が係止溝５０に安定されて係止されないこととなるため、より安定して係止されるために形成されている。
【００３２】
また、側部５４は、折り畳みテーブル１がベッド装置（側柵）から外れないように係止するために設けられている。なお、側柵間が狭いベッド装置の場合は側柵を側部５４ａに、側柵間が広いベッド装置の場合は側柵を側部５４ｂに当接するように係止することにより、より安定して折り畳みテーブル１が係止可能となる。
【００３３】
天部５６は、側柵の上辺が当接する部分である。天部５６に、滑り止めとなる部材（例えば、ゴム等）を設けることにより、より安定して折り畳みテーブル１をベッド装置（側柵）に係止することが出来るようになる。
【００３４】
また、係止溝５０は折り畳みテーブル１の長手方向に沿って所定の長さにより形成されている。係止溝の長さとしては、種々のものが考えられるが、例えば側部５４ａ（内側）の位置は設置されると想定されるベッド装置の側柵間の長さがもっとも短いものを基準とし、側部５４ｂ（外側）の位置はベッド装置の側柵間の長さがもっとも長いものを基準とする。
【００３５】
［２．折り畳みテーブルの動作］
続いて、折り畳みテーブルの動作について、図を用いて説明する。図６及び図７は、側板５及び側板７が回動することにより折り畳まれる状態を説明するための図であり、図６は斜視図、図７は正面図を示している。また、図８及び図９は、折り畳みテーブル１が折り畳まれた状態、すなわち収納時の状態を示している図であり、図８は上面図、図９は正面図を示している。
【００３６】
側板５及び側板７は、連結部１０を中心に下方向に略１８０度回動することにより、中央板３の下面に折り畳まれることとなる。図８及び図９に示すように、使用時と比較して長手方向にほぼ半分の大きさまで小さくなり、収納することができる。
【００３７】
なお、このとき凸部５２の部分については、側板５及び側板７の高さより高くなるため、そのまま折り畳んでしまうと中央板３の下面に干渉してしまう。そこで、図１０に示すように、中央板３の底面は、凸部５２が当接する箇所には切り欠け部３２（３２ａ、３２ｂ）を設けることとする。すなわち、凸部５２が、切り欠け部３２に嵌ることにより、側板５及び側板７は、略１８０度回動可能となる。
【００３８】
［３．実施例］
続いて、図１１を用いて折り畳みテーブル１をベッド装置１００に取り付けた場合の実施例について説明する。図１１は、ベッド装置１００のサイドレールに設けられた側柵１０２（１０２ａ、１０２ｂ）の上辺１０４に架け渡して係止されている状態を説明する為の図である。
【００３９】
側柵１０２の上辺１０４が、係止溝５０に収まることにより、折り畳みテーブル１が係止され、テーブルとして利用することができる。また、このときに、折り畳みテーブル１は、幅方向が同じ板を用いてテーブルを構成しているため、より広い載置面積を確保することができ、利用者にとって利便性の高い折り畳みテーブルとなる。
【００４０】
さらに、折り畳みテーブル１は、側柵１０２の上に架け渡して係止されていることから、例えば、ベッド装置１００の高さが変わったとしても、側柵１０２に連動して折り畳みテーブル１の高さも連動して変わることとなる。
【００４１】
さらに、係止溝５０は、側柵と比較して大きめに長く形成されているため、ベッド装置１００（側柵１０２間）の複数の幅に対応して折り畳みテーブル１を利用することが出来る。以下、複数の実施例を用いて説明する。
【００４２】
［３．１  第１実施例］
まず第１実施例としては、側柵間が広いベッド装置に利用される場合について図１２を用いて説明する。
【００４３】
折り畳みテーブル１が設置されるベッド装置１００（側柵１０２間）の長さが広い場合、側柵１０２の上辺１０４が、外側の側部５４ｂに当接されるように、折り畳みテーブル１を係止する。すなわち、側板５及び側板７の外側の側部５４ｂに、上辺１０４が当接されて係止されることとなり、ベッド装置１００に折り畳みテーブル１を安定して設置することができる。
【００４４】
［３．２  第２実施例］
続いて第２実施例としては、側柵間が狭いベッド装置に利用される場合について図１３を用いて説明する。
【００４５】
折り畳みテーブル１が設置されるベッド装置１００（側柵１０２間）の長さが狭い場合、側柵１０２の上辺１０４が、内側の側部５４ａに当接されるように、折り畳みテーブル１を係止する。すなわち、側板５及び側板７の内側の側部５４ａに、上辺１０４が当接されて係止されることとなり、ベッド装置１００に折り畳みテーブル１を安定して設置することができる。
【００４６】
［３．３  第３実施例］
続いて、第３実施例としては、側柵間が第１実施例と第２実施例との間のベッド装置に利用される場合について図１４を用いて説明する。
【００４７】
折り畳みテーブル１が設置されるベッド装置１００（側柵１０２間）の長さが第１実施例と第２実施例との間の場合、側柵１０２の上辺１０４が、天部５６に当接する場合に、天部５６が備えている滑り止め部材により折り畳みテーブル１を係止する。この場合、滑り止め部材として効果が高い部材を用いることにより、安定して折り畳みテーブル１を設置することが出来る。
【００４８】
また、左右方向（折り畳みテーブル１の長手方向）に折り畳みテーブル１が移動したとしても、側部５４は、凸部５２が突出して形成されていることから、側柵１０２から折り畳みテーブル１が外れると行った危険性は極めて少ないものとなる。
【００４９】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００５０】
なお、上述した実施形態では、側板は中央板の略半分として説明しているが、当然それ以下の長さであれば問題ない。また、側板５及び側板７を重ねるように構成することにより、すなわち、上側から中央板３、側板５、側板７と３層に重なるように折り畳む構造とすることにより、側板は中央板の半分以上の長さとなっても良い。
【符号の説明】
【００５１】
１  折り畳みテーブル
３  中央板
５、７  側板
１０  連結部
２０  凹部
３２  切り欠け部
５０  係止溝
５２、５２ａ、５２ｂ  凸部
５４、５４ａ、５４ｂ  側部
５６  天部
１００  ベッド装置
１０２、１０２ａ、１０２ｂ  側柵
１０４  上辺
【図１】
0005468397.tif 000002
【図２】
0005468397.tif 000003
【図３】
0005468397.tif 000004
【図４】
0005468397.tif 000005
【図５】
0005468397.tif 000006
【図６】
0005468397.tif 000007
【図７】
0005468397.tif 000008
【図８】
0005468397.tif 000009
【図９】
0005468397.tif 000010
【図１０】
0005468397.tif 000011
【図１１】
0005468397.tif 000012
【図１２】
0005468397.tif 000013
【図１３】
0005468397.tif 000014
【図１４】
0005468397.tif 000015